(57)【要約】      （修正有）【課題】魚信を視覚的にとらえる浮きの提供。【解決手段】水に浮かぶ鳥の如き形状に成形して成る浮きであって、その胴体内部には前後方向に連通孔が形成されており、且つ該胴体の後方には重錘が設けられているものであることを特徴とする水鳥形浮き。魚が引いていない状態では、仕掛けの錘と胴体内の重錘がバランスをとり水面に静止する水鳥のような姿勢だが、魚が引くとこのバランスが崩れ、頭部が水中に没してゆく方向で回動運動を始める。【選択図】図１
0003114507.tif 000002
【実用新案登録請求の範囲】
【請求項１】
水に浮かぶ鳥の如き形状に成形して成る浮きであって、その胴体内部には前後方向に連通孔が形成されており、且つ該胴体の後方には重錘が設けられているものであることを特徴とする水鳥形浮き。
【請求項２】
該連通孔は、胴体内部にパイプを内蔵することで形成されているものである請求項１記載の水鳥形浮き。
【請求項３】
該重錘は該胴体の後方に内包されて成る請求項１又は２記載の水鳥形浮き。
【請求項４】
全体が黄色若しくは橙色に着色されて成る請求項１、２又は３記載の水鳥形浮き。
【請求項５】
本体は発泡プラスチックにより成形されているものである請求項１、２、３又は４記載の水鳥形浮き。
【考案の詳細な説明】
【技術分野】
【０００１】
本考案は、水面に水鳥のように浮かぶ釣り用浮きの構造に関するものである。
【背景技術】
【０００２】
釣り、特に趣味としての釣りにあって「浮き」は、魚信を視覚的に捉える重要な道具の一つである（特殊なものとしては、仕掛けを遠投することを助勢する「飛ばし浮き」等もあるが、ここでは除外する）。
【０００３】
魚信を視覚的に捉えるものであるから、魚に引きに敏感に反応しそれを明確に伝えるものが当然好ましいが、敏感に過ぎると、風や波による影響を受けやすいものとなり魚信と錯誤しがちとなるので、特に初心者にとってみれば「盛んに揺れ動くだけで魚信を取るタイミングの判らない浮き」というものになり易い。
【特許文献１】特開昭４８−８５３７２号
【考案の開示】
【考案が解決しようとする課題】
【０００４】
換言すると、風があっても水面がうねっていても静止姿勢を保ち、魚が仕掛けを引いた時にのみその動きを大きく伝えるような浮きが最適である。且つまた、単に浮いている浮きが沈んでゆくことだけで魚信を取るというのも、水の透明度や日照の加減などによっては判りづらい場合がある。
【課題を解決するための手段】
【０００５】
そこで本考案者は、こうした点に鑑み鋭意研究の結果遂に本考案を成したものでありその特徴とするところは、水に浮かぶ鳥の如き形状に成形して成る浮きであって、その胴体内部には前後方向に連通孔が形成されており、且つ該胴体の後方には重錘が設けられている点にある。
【０００６】
「水に浮かぶ鳥の如き形状」とは、表現としてはアヒル、カモ、ハクチョウ、等の成鳥或いは幼鳥が水に浮かんでいる形状のことを指すが、足は不要であるし、折り畳まれた羽根が明確である必要もない。要するに、鶏卵形や楕円球形、或いはやや扁平した鶏卵形や楕円球形であるところの胴体部と、その長軸端部近傍に膨出する頭部とが存在すれば本発明でいうところの「水に浮かぶ鳥の如き形状」の条件は備えている。ハクチョウの如く頸部が明確に存在している水鳥を模す場合には、胴体部に長い頸部を形成すれば良いし、頭部に、嘴や目などを設けても当然構わない。
【０００７】
本体の材質については特に限定するものではない。木材を切削しても制作は可能であるし、浮力を得るための中空部分を有するプラスチックによっても良い。特に好ましいのは「発泡プラスチック」である。充分な浮力とある程度の保形性を具備し耐水性に優れたものであれば、非常に好ましい材料となる。但しその詳細（プラスチックの種類や発泡倍率等）を限定するものではない。本発明者が試作実験した範囲では、発泡倍率が１５〜２５倍程度のポリスチレンとした時、強度・浮力・切削加工性のバランスが最適であった。勿論切削加工という手法を採らず、圧縮成形によって全体形状を形成するのが大量生産には適している。
【０００８】
「連通孔」は、浮き本体の胴体内部を前後方向に連通する孔であり、ここには釣り糸が通されることとなる。形状としては中通し浮きということとなるが、通常の中通し浮きがそうであるように、浮き留めの手法によっては固定浮きとしても使用可能である。またこの連通孔は、内部を釣り糸が盛んに動くものであるし、魚信に合わせる時などには大きな負荷の掛かる部分であるので、本体材質が木材或いは発泡プラスチックの場合には強度不足が危惧される。そこで胴体内部にパイプを配置しこのパイプ孔を連通孔とすれば、耐久性に優れた浮きとなる。
【０００９】
「重錘」については従来の錘入りの浮きに採用されている重錘と同一又は同等のもので良く何ら限定しない。そしてこの重錘は、胴体部後方に配置される部材であるが、これは胴体に接着するようにしても良いし、胴体内部に配置させることで外観させないようにしても良い。
【００１０】
色彩に関しては特に限定はしないが、実際の水鳥の色彩に忠実なものに比して、全体が黄色若しくは橙色に着色されているものの方が視認性が良く、浮きとしての機能は優れている。
【考案の効果】
【００１１】
本考案に係る水鳥形浮きは、以下述べる如き効果を有する極めて有用な考案である。
【００１２】
（１）  全体形状が水に浮く水鳥のようなものであり、魚が釣り針をくわえて引っ張った時に全体が回動運動し、水鳥が水中の餌をつつくような動きとなり、単に浮きが水没するだけの浮きに比べて、魚信として視認しやすい。
（２）  全体形状が水に浮く水鳥のような浮きというものは、意匠的にも斬新である。
【考案を実施するための最良の形態】
【００１３】
以下図面に基づき本考案を更に詳細に説明する。
【実施例１】
【００１４】
図１は、本考案に係る水鳥形浮き１（以下「本考案浮き１」という）の一例を示すものである。図より明らかなように本例の本考案浮き１は、全体形状が水に浮くアヒルの幼鳥のようなものである。胴体内部にはその前後方向にプラスチックパイプ２が配置されており連通孔を形成している。また胴体後方には重錘３が埋め込まれている。そして胴体と頭部を構成する浮き本体４は、本例の本考案浮き１の場合、発泡倍率２０倍の発泡ポリスチレン製の直方体ブロックを切削し、プラスチックパイプ２と重錘３を埋め込むという手法で製作した。
【００１５】
図２（ａ）（ｂ）は、本考案浮き１の使用状態の一例を概略的に示すものである。胴体内部のプラスチックパイプ２内には釣り糸Ｌが通されている。釣り糸Ｌの形態は、本考案浮き１の前方（水鳥の胸部前端に相当する位置）開口から仕掛け（ハリスや釣り針、小型錘、サルカン等より構成される）が水底に向かって垂れ下がり、後方開口から出た釣り糸Ｌは釣り竿まで至る。魚が釣り糸Ｌを引いていない状態では本考案浮き１は、同図（ａ）のように頭部が持ち上がったまま水面に浮いている。換言すると、浮き本体４に配置された重錘３は、このような姿勢をとるために仕掛け全体の沈降力とのバランスを図るために設けられた部材である。
【００１６】
魚が釣り針に掛かり仕掛けを引っ張ると、釣り糸Ｌには同図（ｂ）中の矢印のような力が掛かる。すると上記バランスは崩れ、本考案浮き１は頭部が水中に没するような回動運動を開始する。この回動運動は、対象魚によって種々の形態があり、回動運動の途中で静止した時、或いは浮き全体が水中に没し始めた時、等々で魚信を取ることとなるが、これらは通常の浮きの場合と同様である。但し一般的な浮きの場合には浮き先端が水中に真っ直ぐ沈んで行く様子で魚信を取るのに比して、回動運動で魚信を取ることになるので視認性は非常に高いものとなる。
【図面の簡単な説明】
【００１７】
【図１】本考案に係る水鳥形浮きの一例を示す概略断面図である。
【図２】（ａ）（ｂ）は、本考案に係る水鳥形浮きの使用状態の一例を示すいずれも概略側面図である。
【符号の説明】
【００１８】
１    本考案に係る水鳥形浮き
２    プラスチックパイプ
３    重錘
４    浮き本体
Ｌ    釣り糸
【図１】
0003114507.tif 000003
【図２】
0003114507.tif 000004